(57)【要約】  IEEE  802.11に準拠したPPDUのような物理プロトコルデータユニット（physical  protocol  data  unit,  PPDU）のヘッダ内で制御情報を送信するための方法、装置及びシステムである。実施例は、無線LAN通信のためにEMDG  PPDU内に制御情報を示すことを含む。方法及びシステムは、制御情報を搬送するため且つスクランブル化器シフトレジスタを初期化するのに使用されるために、PPDUヘッダ（例えば、PHYヘッダ）内のスクランブル化器初期化フィールドの少なくとも1ビットをオーバーロードすることを含んでもよい。したがって、同じヘッダビットが双方の目的のために使用される。制御情報の例は、プライマリチャネル、更なる通信において使用されるべきチャネル幅又はMIMO設定を含む。
2019516326.tif 000002
【特許請求の範囲】
【請求項１】
ヘッダを有する物理レイヤプロトコルデータユニット（physical  layer  protocol  data  unit,  PPDU）を送信するための送信機であり、前記ヘッダは、スクランブル化器初期化フィールドを有する、送信機であって、
制御情報を搬送するために前記スクランブル化器初期化フィールドの少なくとも1ビットをオーバーロードするためのスクランブル化器初期化器と、
前記スクランブル化器初期化フィールドを介して伝達されるスクランブル化器初期化値に基づいて、前記スクランブル化器初期化フィールドに続く前記ヘッダ内の内容及び関連するMACフレーム又は前記MACフレームの一部をスクランブル化するためのスクランブル化器と
を含む送信機。
【請求項２】
前記制御情報は、前記送信機により使用されるべきプライマリチャネル、前記送信機により使用されるべきチャネル帯域幅、及び前記送信機により使用されるべきMIMOタイプのうち少なくとも１つを示す、請求項１に記載の送信機。
【請求項３】
前記スクランブル化器は、前記フレームの受信の際に受信機が前記スクランブル化器初期化フィールドの内容に基づいて前記フレームの前記一部をデスクランブル化できるような方式で、前記MACフレーム又は前記MACフレームの前記一部をスクランブル化するように構成される、請求項１に記載の送信機。
【請求項４】
前記スクランブル化器初期化器は、前記制御情報を搬送するために、前記スクランブル化器初期化フィールドの全てより少ないビットをオーバーロードする、請求項１に記載の送信機。
【請求項５】
前記スクランブル化器初期化器は、前記制御情報を搬送するために、前記スクランブル化器初期化フィールドの全てのビットをオーバーロードする、請求項１に記載の送信機。
【請求項６】
前記制御情報は、EDMG機能をサポートするために使用される制御情報、静的な帯域幅割り当てが使用されるべきか動的な帯域幅割り当てが使用されるべきかの指示、前記送信機により使用されるべき１つ以上のチャネルのセット、通信において使用されるべき送信ダイバーシチ設定、通信において使用されるべき送信ダイバーシチ設定、及び送信されている空間ストリーム数のうち少なくとも１つを更に示す、請求項１に記載の送信機。
【請求項７】
ヘッダを有する物理レイヤプロトコルデータユニット（physical  layer  protocol  data  unit,  PPDU）を受信するための受信機であり、前記ヘッダは、スクランブル化器初期化フィールドを有する、受信機であって、
前記スクランブル化器初期化フィールドの少なくとも1ビットを制御情報として解釈するように構成されたスクランブル化データ抽出器と、
前記スクランブル化器初期化フィールドの内容に基づいて、前記PPDU又は前記PPDUの一部をデスクランブル化するためのデスクランブル化器と
を含む受信機。
【請求項８】
前記制御情報は、送信機により使用されるべきプライマリチャネル、前記送信機により使用されるべきチャネル帯域幅、及び前記送信機により使用されるべきMIMOタイプのうち少なくとも１つを示す、請求項７に記載の受信機。
【請求項９】
前記スクランブル化器初期化フィールドの全てより少ないビットが、前記制御情報を搬送するものとして解釈される、請求項７に記載の受信機。
【請求項１０】
前記スクランブル化器初期化フィールドの全てのビットが、前記制御情報を搬送するものとして解釈される、請求項７に記載の受信機。
【請求項１１】
前記制御情報は、EDMG機能をサポートするために使用される制御情報、静的な帯域幅割り当てが使用されるべきか動的な帯域幅割り当てが使用されるべきかの指示、送信機により使用されるべき１つ以上のチャネルのセット、通信において使用されるべき送信ダイバーシチ設定、通信において使用されるべき送信ダイバーシチ設定、及び送信されている空間ストリーム数のうち少なくとも１つを更に示す、請求項７に記載の受信機。
【請求項１２】
ヘッダを有する物理レイヤプロトコルデータユニット（physical  layer  protocol  data  unit,  PPDU）を送信するための方法であり、前記ヘッダは、スクランブル化器初期化フィールドを有する、方法であって、スクランブル化器初期化器とスクランブル化器とを有する送信局により、
前記スクランブル化器初期化器を使用して、制御情報を搬送するために前記スクランブル化器初期化フィールドの少なくとも1ビットをオーバーロードするステップと、
前記スクランブル化器を使用して、前記スクランブル化器初期化フィールドを介して伝達されるスクランブル化器初期化値に基づいて、前記PPDU又は前記PPDUの一部をスクランブル化するステップと
を含む方法。
【請求項１３】
前記制御情報は、前記送信機により使用されるべきプライマリチャネル、前記送信機により使用されるべきチャネル帯域幅、及び前記送信機により使用されるべきMIMOタイプのうち少なくとも１つを示す、請求項１２に記載の方法。
【請求項１４】
前記PPDUの前記一部は、前記PPDUの受信の際に受信機が前記スクランブル化器初期化フィールドの内容に基づいて前記PPDUの前記一部をデスクランブル化できるような方式で、スクランブル化される、請求項１２に記載の方法。
【請求項１５】
前記スクランブル化器初期化フィールドの全てより少ないビットが、前記制御情報を搬送するためにオーバーロードされる、請求項１２に記載の方法。
【請求項１６】
前記スクランブル化器初期化フィールドの全てのビットが、前記制御情報を搬送するためにオーバーロードされる、請求項１２に記載の方法。
【請求項１７】
前記制御情報は、EDMG機能をサポートするために使用される制御情報、静的な帯域幅割り当てが使用されるべきか動的な帯域幅割り当てが使用されるべきかの指示、前記送信機により使用されるべき１つ以上のチャネルのセット、通信において使用されるべき送信ダイバーシチ設定、通信において使用されるべき送信ダイバーシチ設定、及び送信されている空間ストリーム数のうち少なくとも１つを更に示す、請求項１２に記載の方法。
【請求項１８】
ヘッダを有するPPDUを受信するための方法であり、前記ヘッダは、スクランブル化器初期化フィールドを有する、方法であって、デコーダとデスクランブル化器とを有する受信機により、
前記スクランブル化データ抽出器を使用して、前記スクランブル化器初期化フィールドの少なくとも1ビットを制御情報として解釈するステップと、
前記デスクランブル化器を使用して、前記スクランブル化器初期化フィールドの内容に基づいて、前記PPDU又は前記PPDUの一部をデスクランブル化するステップと
を含む方法。
【請求項１９】
前記制御情報は、送信機により使用されるべきプライマリチャネル、前記送信機により使用されるべきチャネル帯域幅、及び前記送信機により使用されるべきMIMOタイプのうち少なくとも１つを示す、請求項１８に記載の方法。
【請求項２０】
前記スクランブル化器初期化フィールドの全てより少ないビットが、前記制御情報を搬送するものとして解釈される、請求項１８に記載の方法。
【請求項２１】
前記スクランブル化器初期化フィールドの全てのビットが、前記制御情報を搬送するものとして解釈される、請求項１８に記載の方法。
【発明の詳細な説明】
【技術分野】
【０００１】
［関連出願への相互参照］
この開示は、2016年5月11日に出願された米国仮特許出願第62/334,749号及び2017年1月9日に出願された米国仮特許出願第62/444,055号の優先権を主張し、これらの双方を参照により援用する。この開示はまた、2017年4月5日に出願された米国特許出願第15/480,044号の優先権を主張し、これも参照により援用する。
【０００２】
［技術分野］
この開示は、無線LAN無線局（station,  STA）の間で通信するための装置、システム及び方法に関する。特に、この開示は、無線LANフレーム内でエンハンスト指向性マルチギガビット（enhanced  directional  multi-Gigabit,  EDMG）機能を指示するための装置、システム及び方法に関する。
【背景技術】
【０００３】
EDMG通信のようなより大きい帯域幅の通信を可能にする無線LAN無線機／モデムの導入により、或る範囲のチャネルがSTAの間で確立されることを可能にする更なる通信チャネル機能が存在する。更なる通信チャネル機能に伴い、通信交換のためのチャネルを確立するために、他の選択肢の中でも、プライマリチャネルの選択、静的／動的なチャネル帯域幅、マルチプル・インプット・マルチプル・アウトプット（multiple-input  multiple-output,  MIMO）設定タイプ及び／又は送信ダイバーシチ設定を連携するために、対応する更なる制御情報を交換する必要がある。
【０００４】
更なる制御情報を交換するための１つの選択肢は、更なる通信チャネル機能に対応するヘッダに新たな制御ビットを追加することである。この選択肢の問題は、更なる制御ビットがこれらのビットを誤り保護するために更なる符号化を必要とする可能性があり、レガシーSTAと相互運用するときに問題を引き起こす可能性があるため、送信機及び受信機の双方の複雑性を増加させると共に、より長い制御ヘッダを必要とし得る点である。更なる制御情報を交換するための他の選択肢は、制御トレーラ内に情報を追加することである（例えば、ここでIEEE  802.11-16/0105r0と呼ばれるC.  Cordeiro及びA.  Kasherによる2016年1月17日の「Adding  control  trailer  to  control  mode  PPDUs」という名称のIEEE  802.11-16/0105r0の番号のIEEE文書を参照する。このような制御トレーラを使用することの問題は、更なる冗長なビットをフレームに非効率的に追加し得る点である）。制御トレーラを使用することの問題は、現在考えられている通り、これらが更なる冗長ビットをフレームに非効率的に追加することである。したがって、依然として後方互換の制御フレームを提示しつつ、更なる制御情報を効率的に交換することを可能にするシステム及び装置の必要性が存在する。或る側面では、更なる制御情報を搬送するために制御トレーラに依存せず、その情報を伝達する後方互換の制御フレームの必要性が存在する。
【０００５】
この背景情報は、本発明に場合によって関係すると出願人により考えられる情報を明らかにするために提供されている。前述の情報のいずれかが本発明に対する従来技術を構成すると認めることは、必ずしも意図しておらず、そのように解釈されるべきではない。
【発明の概要】
【０００６】
本開示の実施例によれば、無線LAN無線局（station,  STA）の間で通信するための装置、システム及び方法が提供される。特に、本開示の実施例は、EDMG  STAがレガシー局（station,  STA）にとって後方互換があるフレーム構造のレガシー部分を使用して、関係するEDMG機能を示すための情報を含む制御フレーム並びにEMDGシングルキャリア（single  carrier,  SC）及びEDMG直交周波数分割多重（orthogonal  frequency  division  multiplexing,  OFDM）フレームを送信するための装置、システム及び方法に関する。或る態様では、本開示は、レガシーSTAがフレームを復号することを可能にするために後方互換を守りつつ、EDMG  STAがフレームのレガシー部分でEDMG機能をサポートするための更なるシグナリングを含む方式で、データフレームを送信及び交換するための装置、システム及び方法に関する。
【０００７】
本開示の他の実施例によれば、ヘッダを有する物理レイヤプロトコルデータユニット（physical  layer  protocol  data  unit,  PPDU）を送信するための送信機が提供され、ヘッダは、スクランブル化器初期化フィールド（Scrambler  Initialization  Field）を有する。送信機は、スクランブル化器初期化器と、スクランブル化器とを少なくとも含む。スクランブル化器初期化器は、制御情報を搬送するためにスクランブル化器初期化フィールドの少なくとも1ビットをオーバーロードするように構成される。スクランブル化器は、スクランブル化器初期化フィールドを介して伝達されるスクランブル化器初期化値に基づいて、スクランブル化器初期化フィールドに続くヘッダ内の内容及び関連するMACフレーム又はMACフレームの一部をスクランブル化するように構成される。一態様では、制御情報は、送信機により使用されるべきプライマリチャネル、送信機により使用されるべきチャネル帯域幅、及び送信機により使用されるべきMIMOタイプのうち少なくとも１つを示してもよい。スクランブル化器初期化器は、制御情報を搬送するためにスクランブル化器初期化フィールドの全て又は全てより少ないビットをオーバーロードしてもよい。
【０００８】
本開示の実施例によれば、ヘッダを有する物理レイヤプロトコルデータユニット（physical  layer  protocol  data  unit,  PPDU）を受信するための受信機が提供され、ヘッダは、スクランブル化器初期化フィールドを有する。受信機は、デコーダと、デスクランブル化器とを少なくとも含む。スクランブル化データ抽出器は、スクランブル化器初期化フィールドの少なくとも1ビットを制御情報として解釈するように構成される。デスクランブル化器は、スクランブル化器初期化フィールドの内容に基づいて、PPDU又はPPDUの一部をデスクランブル化するように構成される。制御情報は、送信機により使用されるべきプライマリチャネル、送信機により使用されるべきチャネル帯域幅、及び送信機により使用されるべきMIMOタイプのうち少なくとも１つを示してもよい。
【０００９】
本開示の実施例によれば、ヘッダを有する物理レイヤプロトコルデータユニット（physical  layer  protocol  data  unit,  PPDU）を送信するための方法が提供され、ヘッダは、スクランブル化器初期化フィールドを有する。方法は、スクランブル化器初期化器とスクランブル化器とを有する送信局により、スクランブル化器初期化器を使用して、制御情報を搬送するためにスクランブル化器初期化フィールドの少なくとも1ビットをオーバーロードするステップを含む。方法は、スクランブル化器を使用して、スクランブル化器初期化フィールドを介して伝達されるスクランブル化器初期化値に基づいて、PPDU又はPPDUの一部をスクランブル化するステップを更に含む。制御情報は、送信機により使用されるべきプライマリチャネル、送信機により使用されるべきチャネル帯域幅、及び送信機により使用されるべきMIMOタイプのうち少なくとも１つを示してもよい。
【００１０】
本開示の実施例によれば、ヘッダを有するPPDUを受信するための受信機が提供され、ヘッダは、スクランブル化器初期化フィールドを有する。方法は、スクランブル化データ抽出機とデスクランブル化器を有する受信機により、スクランブル化データ抽出器を使用して、スクランブル化器初期化フィールドの少なくとも1ビットを制御情報として解釈するステップと、デスクランブル化器を使用して、スクランブル化器初期化フィールドの内容に基づいて、PPDU又はPPDUの一部をデスクランブル化するステップとを含む。制御情報は、送信機により使用されるべきプライマリチャネル、送信機により使用されるべきチャネル帯域幅、及び送信機により使用されるべきMIMOタイプのうち少なくとも１つを示してもよい。
【図面の簡単な説明】
【００１１】
本開示の更なる特徴及び利点は、添付図面と共に挙げられる以下の詳細な説明から明らかになる。
【図１】本開示の実施例による送信局及び受信局を示す。
【図２Ａ】本開示の様々な実施例に従ってデータを送信するための方法を示す。
【図２Ｂ】本開示の様々な実施例に従ってデータを送信するための方法を示す。
【図２Ｃ】本開示の様々な実施例に従ってデータを送信するための方法を示す。
【図３Ａ】本開示の様々な実施例に従ってデータを受信するための方法を示す。
【図３Ｂ】本開示の様々な実施例に従ってデータを受信するための方法を示す。
【図３Ｃ】本開示の様々な実施例に従ってデータを受信するための方法を示す。
【図４】無線通信のための従来の802.11adフレームフォーマットを示す。
【図５Ａ】802.11adにおける制御モードの例示的なヘッダフォーマットを示す。
【図５Ｂ】802.11adにおけるOFDMモードの例示的なヘッダフォーマットを示す。
【図５Ｃ】802.11adにおけるシングルキャリアモードの例示的なヘッダフォーマットを示す。
【図６】スクランブル化処理を示すブロック図である。
【図７Ａ】EDMG  STAにより使用される従来技術のチャネライゼーションを示す。
【図７Ｂ】EDMG  STAにより使用される従来技術のチャネライゼーションを示す。
【図８】提案された802.11ay  PPDUを示す。
【図９】プライマリチャネル／帯域幅と制御PHYを使用して送信されるときのスクランブル化器初期化フィールドの間の関係を示すテーブルを示す。
【図１０】静的／動的な帯域幅／チャネル／帯域幅と制御PHYを使用して送信されるときのスクランブル化器初期化フィールドの間の関係を示すテーブルを示す。
【図１１】プライマリチャネル／帯域幅とEDMG  SC  PHY及びEDMG  OFDM  PHYを使用して送信されるときのスクランブル化器初期化フィールドの間の関係を示すテーブルを示す。
【図１２】静的／動的な帯域幅／チャネル／帯域幅とEDMG  SC／OFDM  PHYを使用して送信されるときのスクランブル化器初期化フィールドの間の関係を示すテーブルを示す。
【図１３】MIMOとEDMG  SC  PHY及びEDMG  OFDM  PHYを使用して送信されるときのスクランブル化器初期化フィールドの間の関係を示すテーブルを示す。
【図１４】送信ダイバーシチとEDMG  SC  PHY及びEDMG  OFDM  PHYを使用して送信されるときのスクランブル化器初期化フィールドの間の関係を示すテーブルを示す。
【図１５】制御PHYヘッダ内のチャネル帯域幅指示を示す。
【図１６】制御PHYヘッダ内のビットフィールドB1  B2  B3内のチャネルBWフィールド定義を示す。
【図１７】制御PHYヘッダ内のチャネル帯域幅指示の実施例を示す。
【図１８】制御PHYヘッダ内のビットフィールドB1  B2  B3内のチャネルBWフィールドの定義の実施例を示す。
【図１９】制御PHYヘッダ内のビットフィールドB1  B2  B3内のチャネルBWフィールドの定義の更なる実施例を示す。
【図２０】EDMG  SC又はEDMG  OFDMモードを使用して送信されるときの最終RSSIフィールドのビット割り当ての定義を示す。
【図２１】SU  PPDUのためのEDMG-Header-Aフィールド構造及び定義を示す。
【図２２】EDMG  SC及びEDMG  OFDMモードを使用して送信されるときのDMGヘッダ内のスクランブル化器初期化フィールドの定義の実施例を示す。
【図２３】本開示の実施例による装置を示す。
【００１２】
添付図面を通じて、同様の特徴は同様の参照番号により識別される点に留意すべきである。
【発明を実施するための形態】
【００１３】
ここで使用される様々な略語は、以下の非網羅的なリストにおいて定義される。
【００１４】
AP:  アクセスポイント（Access  Point）
DMG:  指向性マルチギガビット（Directional  Multi-Gigabit）
EDMG:  エンハンスト指向性マルチギガビット（Enhanced  Directional  Multi-Gigabit）
OFDM:  直交周波数分割多重（Orthogonal  Frequency  Division  Multiplexing）
PBSS:  パーソナル基本サービスセット（Personal  Basic  Service  Set）
PCP:  PBSS連携ポイント（PBSS  Coordinate  Point）
PHY:  物理レイヤ（Physical  Layer）
PPDU:  物理レイヤプロトコルデータユニット（Physical  Layer  Protocol  Data  Unit）
PSDU:  物理レイヤサービスデータユニット（Physical  Layer  Service  Data  Unit）
SC:  シングルキャリア（Single  Carrier）
STA:  AP及び非AP局を含む無線局（wireless  station）
容易に理解されるように、IEEE  802.11において使用されるもののような信号は、送信局により送出されて受信局により解釈される一連のビットを伝達する。ビットを設定することは、ビットが特定のバイナリ値として受信局により解釈される（恐らく雑音を受ける）ような、送信局による送信されるべき信号の設定と呼ばれることができる。ビットは、「0」又は「1」のいずれかに設定できる。受信局によるビットの解釈は、送信局により設定されたビットの意図した値を決定することを試みる信号の処理を示す。一連のビットを伝達するための信号の符号化、変調、復調及び復号は、当業者により容易に理解されるように、様々な方法で実行できる。
【００１５】
ここで使用される「オーバーロード（overloading）」という用語は、少なくとも２つの異なる目的のための同じデータ（例えば、信号を介して伝達される指定のビット）の設定及び使用を示す。例えば、IEEE  802.11フレームとして解釈される無線信号は、２つの異なる方法で解釈及び／又は使用される部分を含むことができる。
【００１６】
本開示の実施例は、フレームヘッダのビットのようなIEEE  802.11フレームの部分のオーバーロードに関し、それにより、これらのオーバーロードされた部分により伝達される値は、スクランブル化動作の初期化と、他の制御情報の伝達のような他の目的とに同時に使用される。より具体的には、本開示の実施例は、IEEE  802.11フレーム（例えば、IEEE  802.11ay制御フレーム又はデータフレーム）を搬送する物理レイヤプロトコルデータユニット（Physical  Layer  Protocol  Data  Unit,  PPDU）のスクランブル化器初期化フィールドのビットのオーバーロードに関する。フレームは、MACレイヤフレームを示すことができる。いくつかの実施例では、これらのビットのいくつかは、所与のPPDU内でオーバーロードされ、一方、これらのビットの他のものは、ランダム又は擬似ランダム方式の割り当てられた値である。したがって、スクランブル化器初期化フィールドで搬送される値のランダム又は擬似ランダム特性は、少なくとも部分的に保持できる。他の実施例では、これらのビットの全ては、所与のPPDU内でオーバーロードされる。
【００１７】
いくつかの実施例では、ビットは、全ての適用可能なPPDU内で同じ程度にオーバーロードされる。他の実施例では、オーバーロードされるビット数は、例えば必要に応じて或いはスケジュールに従って、PPDUによって変化することができる。スクランブル化器初期化フィールドは、PPDUを介して伝達される連続又は不連続なビットの集合を示すことができ、これらは、スクランブル化器初期化の目的と他の目的との双方に使用される点に留意すべきである。特に、スクランブル化器初期化フィールドは、送信機及び受信機の動作を記述する文献において参照されるとき、必ずしもこの特定の名前を有するとは限らない。
【００１８】
特に、一部又は全部の適用可能なPPDU（例えば、そのヘッダのスクランブル化器初期化フィールド）で搬送されるデータのビットは、スクランブル化及びデスクランブル化動作をサポートするために使用され、一方で、これらのデータの同じビットの一部又は全部はまた、他の制御情報を伝達するために使用される。この他の制御情報は、EDMG機能をサポートするために使用される制御情報（チャネル結合機能及びMIMO機能等）、無線局の間の通信に使用されるべきチャネル（プライマリチャネル等）、チャネル（又はPPDU）の帯域幅、静的な帯域幅割り当てが使用されるべきか動的な帯域幅割り当てが使用されるべきかの指示、通信に使用されるべき１つ以上のチャネルの特定のセット（例えば、チャネライゼーションを構成するチャネル割り当て又はチャネルのセット）、通信に使用されるべきMIMOのタイプ、通信において使用されるべき送信ダイバーシチ設定、送信されている空間ストリーム数、又はこれらの組み合わせを含むことができるが、必ずしもこれらに限定されない。この開示の目的で、SISOは、１つの送信アンテナ及び１つの受信アンテナが使用されるMIMO又は送信ダイバーシチの特別な場合であると考えられる。
【００１９】
したがって、様々な実施例では、スクランブル化器初期化フィールドの一部又は全部のビットは、前述のような制御情報を伝達するために使用され（送信STAにより設定されて受信STAにより解釈される）、一方で、例えば、IEEE  802.11標準の既存の提案されたバージョンにおいて指定され、且つ標準の将来のバージョンにおいて潜在的に指定されるか、或いは同等の標準又は非標準の（既存又は将来の）通信プロトコルで指定又は使用されるような、スクランブル化及びデスクランブル化動作にも使用される。
【００２０】
スクランブル化器初期化フィールドは、任意（例えば、ランダム又は擬似ランダム）の値で動作するように設計されているため、他の目的のために意味のあるデータを伝達するためにこのフィールドを使用すること（すなわち、一部又は全部の適用可能なPPDU内のフィールドの一部又は全部のビットをオーバーロードすること）は、通信動作及び後方互換に限られた影響を有すると想定される。
【００２１】
スクランブル化器初期化フィールドの一部のみをオーバーロードすることにより、及び／又は全部ではないが一部の適用可能なPPDU内のスクランブル化器初期化フィールドをオーバーロードすることにより、少なくとも平均して、スクランブル化器初期化フィールドの少なくともいくつかの所望の「ランダム」特性が保持できる。さらに、オーバーロードされたデータが十分にランダム又は擬似ランダムである場合、スクランブル化器初期化フィールドの「ランダム」特性の少なくともいくつかは、少なくともいくつかの指標により、本質的に保持されると考えられることができる。スクランブル化器初期化フィールドにより伝達されるランダム又は擬似ランダム値の潜在的な望ましさは、当業者により容易に理解される。
【００２２】
いくつかの実施例では、スクランブル化器初期化フィールドを介して伝達されるオーバーロードされたビットは、擬似ランダムに変化するが、送信及び受信局に一般的に既知である方式で、オーバーロードされたビットを設定及び解釈することにより、擬似ランダム特性を示すようにされることができる。例えば、送信及び受信局は、少なくとも実用的な目的で、ランダム又は擬似ランダムであると考えられるビットの一般的に既知の系列にアクセスできる。ビットの系列は、初期化動作中に局に提供されるか、一般的に観測される現象に基づいて生成されるか、或いは送信されるフレームの所定の部分又は２つの局の間で交換される異なるメッセージから抽出されることができる。それぞれのオーバーロードされたビットは、送信局により設定されるため、ビットの一般的に既知の系列から選ばれたビットとXORされることができる。同様に、それぞれオーバーロードされたビットが受信局により解釈されているとき、一般的に既知の系列から選ばれた同じビットとXORされることができる。一般的に既知な系列からのビットは、適切に使用できる。
【００２３】
スクランブル化器初期化フィールドのビットは、他のデータ（例えば、制御情報）を伝達するために（オーバーロードを介して）使用されるため、必ずしもこのような他のデータを搬送するために制御トレーラに依存することなく、ヘッダ内の更なるフィールドの必要性が軽減され、後方互換が維持される。
【００２４】
本開示の実施例は、スクランブル化器初期化値を通信するために使用される様々なフレームに適用できる。このような（例えば、MACレイヤ）フレームの例は、制御フレーム（送信要求（Request  to  Send,  RTS）、送信可（Clear  to  Send,  CTS）、送達確認（Acknowledgement,  ACK）フレーム等）及びデータフレームを含む。
【００２５】
本開示の実施例によれば、図１を参照して、アクセスポイント（access  point,  AP）又は非アクセスポイント（non-AP,  non-access  point）無線局のような送信無線局110が提供される。送信無線局110は、スクランブル化器初期化器112と、スクランブル化器114とを少なくとも含む。局110は、無線送信機115を更に含む。局110はまた、例えば、スクランブル化されたデータに対して動作できる誤り訂正エンコーダ116を含んでもよい。局は、必ずしも限定されないが、プロセッサ120及びコンピュータメモリ122、又は同等のハードウェアのようなコンポーネントを更に含むことができる。
【００２６】
スクランブル化器114は、ヘッダ情報及びデータフレームをスクランブル化するために使用される。スクランブル化器初期化器112は、制御情報140をヘッダ132により搬送されるスクランブル化器初期化フィールド134に埋め込むように構成される。制御情報140は、スクランブル化器初期化フィールド134の一部136に埋め込まれてもよく、或いは制御情報140は、全体のスクランブル化器初期化フィールド134に埋め込まれてもよい。ヘッダ132は、局110により準備されて無線で送信されるべきPHYプロトコルデータユニット（PHY  protocol  data  unit,  PPDU）の一部である。スクランブル化器初期化器112はまた、スクランブル化器初期化値（scrambler  initialization  value,  SIV）142をスクランブル化器初期化フィールド134に送付するように構成される。したがって、スクランブル化器初期化フィールド134は、制御情報140も同様に搬送するスクランブル化器初期化値142を伝達するようにオーバーロードされる。したがって、スクランブル化器初期化値142は、制御情報140を含むことができる。
【００２７】
スクランブル化器114は、スクランブル化器初期化値142に基づいてフレームをスクランブル化するように構成される。スクランブル化は、PPDU130の受信の際に、受信機が、スクランブル化器初期化フィールド134を介して伝達されたスクランブル化器初期化値142に基づいてデスクランブル化することにより、スクランブル化されたフレームを回復できるように実行される。
【００２８】
様々な実施例では、スクランブル化及びデスクランブル化動作は、ヘッダ及びフレーム部分をスクランブル化して次にデスクランブル化するために、これらが同じスクランブル化器初期化値に基づいて動作するという意味で対称的である。このような実施例では、スクランブル化器初期化器112及びスクランブル化器114は、スクランブル化器114がヘッダ132に含まれるものと同じスクランブル化器初期化値に基づいてスクランブル化を実行するように、情報を共有できる。例えば、スクランブル化器初期化器112は、スクランブル化器初期化値142を決定し、それをスクランブル化器114に渡すことができる。次に、PPDU130の受信の際に、したがって、スクランブル化器初期化値（ヘッダ132に含まれる）の受信の際に、受信無線局は、この値に基づいてフレーム部分をデスクランブル化できる。
【００２９】
本開示の他の実施例によれば、また図１を参照して、AP又は非AP無線局のような受信無線局150が提供される。受信無線局150は、スクランブル化データ抽出器155と、デスクランブル化器160と、無線受信機165と、必ずしも限定されないが、誤り訂正デコーダ152、プロセッサ170及びコンピュータメモリ172、又は同等のハードウェアのような潜在的に他のコンポーネントとを含む。
【００３０】
受信局150は、送信されたPPDU130を（無線受信機165を介して）受信する。スクランブル化データ抽出器155は、受信したヘッダ132内のスクランブル化器初期化フィールド134の一部136を制御情報140として解釈するように構成される。スクランブル化データ抽出器155は、受信したヘッダデータに対して動作してもよく、例えば、誤り訂正デコーダ152により前方誤り訂正復号を行ってもよい。前述のように、一部136は、スクランブル化器初期化フィールド134の少なくとも1ビットに対応し、スクランブル化器初期化フィールド134の一部又は全部に対応することができる。スクランブル化データ抽出器155は、スクランブル化器初期化フィールド134の（全）内容をスクランブル化器初期化値142として解釈するように更に構成される。スクランブル化データ抽出器155は、スクランブル化器初期化値142をデスクランブル化器160に渡すことができる。デスクランブル化器160は、このスクランブル化器初期化値に基づいて、受信したPPDU130の一部をデスクランブル化するように構成される。
【００３１】
干渉、雑音等のため、受信局150により認識されるPPDU130の内容は、送信局110により提供されるPPDUの内容と異なり得る点に留意すべきである。いくつかの実施例では、スクランブル化器初期化フィールドを通じて伝達される制御情報は、干渉及び雑音の影響を軽減するために、誤り訂正符号化を通じて保護される。
【００３２】
当業者により容易に理解されるように、スクランブル化器初期化器、スクランブル化器、スクランブル化データ抽出器、デスクランブル化器のようなコンポーネント、並びに誤り訂正エンコーダ及びデコーダのような他のコンポーネントは、データを受信し、データを処理し、所定の方式で処理されたデータを提供するように構成された集積回路のような回路を含むことができる。コンポーネントは、特定用途向け集積回路（application  specific  integrated  circuits,  ASIC）のような高速デジタル回路とすることができる。いくつかの実施例では、コンポーネントは、コンピュータプログラム命令を実行するプロセッサにより実現できる。当業者により容易に理解されるように、送信機及び受信機は、無線周波数コンポーネントを含む。
【００３３】
図２Ａ、２Ｂ及び２Ｃは、本開示の潜在的に重複する実施例によるフレーム／PPDU送信のための方法を示す。図２Ａは、本開示の実施例に従って送信無線局によりフレーム／PPDUを送信するための方法200を示す。方法200は、PPDUのヘッダのスクランブル化器初期化フィールドで伝達されるべき制御情報を受信すること205を含む。方法は、制御情報を含み且つ１つ以上のランダム又は擬似ランダムのビットも含んでもよいスクランブル化器初期化値（scrambler  initialization  value,  SIV）を生成すること210を更に含む。したがって、SIVの１つ以上の所定のビット位置は、制御情報を示すビットとオーバーロードされる。SIVのビットの一部又は全部は、制御情報とオーバーロードできる。方法は、SIVをPPDUヘッダに位置するスクランブル化器初期化フィールドに埋め込むこと215を更に含む。埋め込みは、PPDUの生成、すなわち、PPDUにより送信されるべき指定のタイプの情報の提供の一部として実行できる。SIVの生成及び埋め込みは、スクランブル化器初期化器により行われることができる。この方法は、スクランブル化器を使用して、SIVに基づいてフレームに関連するPPDUの一部をスクランブル化すること220を更に含む。埋め込み215及びスクランブル化220は、必ずしも例示の順序で順次に生じる必要はない。フレーム（及びPPDU）は、送信無線局により順次に送信される225。送信は、チャネル符号化、変調等のような様々なステップを含むことができる。
【００３４】
図２Ｂは、本開示の他の実施例に従って送信無線局によりPPDUを送信するための方法230を示す。PPDUは、スクランブル化器初期化フィールドを有するヘッダを含む。方法は、スクランブル化器初期化器を使用して、制御情報を搬送するためにスクランブル化器初期化フィールドの少なくとも1ビットをオーバーロードすること235を含む。方法は、スクランブル化器を使用して、スクランブル化器初期化フィールドにより伝達されるべきスクランブル化器初期化値に基づいて、PPDU又はPPDUの一部をスクランブル化すること240を更に含む。様々な実施例では、制御情報は、送信機により使用されるべきプライマリチャネル、送信機により使用されるべきチャネル幅（すなわち、帯域幅）、及び送信機により使用されるべきMIMOタイプのうち少なくとも１つを示す。
【００３５】
スクランブル化器初期化フィールドの内容に基づいてスクランブル化することは、必ずしもスクランブル化器がスクランブル化動作中にヘッダ自体の中のスクランブル化器初期化フィールドを読み取ることを必要とするとは限らない（実際に、PPDUは、スクランブル化の前に完全に構成されていなくてもよい）点に留意すべきである。むしろ、スクランブル化器初期化値は、送信STAにより生成され、スクランブル化器及びPPDUヘッダへの包含の双方に利用可能になってもよい。すなわち、スクランブル化は、受信局に送信されるべきスクランブル化器初期化フィールドに（も）含まれるか、或いは含まれることになるスクランブル化器初期化値に基づいて実行される。
【００３６】
図２Ｃは、本開示の他の実施例に従って無線ローカルエリアネットワーク（local  area  network,  LAN）通信のためのEDMG  PPDUにおける制御機能を示す方法260を示す。方法は、例えば、送信無線局により実現される。方法は、任意選択で、無線LAN通信のための少なくとも１つの送信制御設定を選択すること265を含む。送信制御設定は、例えば、送信機により使用されるべきプライマリチャネル、送信機により使用されるべきチャネル幅、及び／又は無線LAN通信に使用されるべきMIMOタイプのような制御情報とすることができる。方法は、少なくとも１つの選択された送信制御設定又は所定の送信制御設定を物理レイヤ（physical  layer,  PHY）ヘッダのスクランブル化器初期化フィールドの少なくとも1ビットに埋め込むこと270を含む。方法は、スクランブル化器初期化フィールドの内容に基づいて、例えば、スクランブル化器初期化フィールドの少なくとも1ビットを使用してスクランブル化器ビットシフトレジスタを初期化することにより、PHYヘッダ及び付随するデータをスクランブル化すること275を更に含む。方法は、スクランブル化されたPHYヘッダ及び付随するデータを誤り制御符号化し、意図する受信デバイスに向かって送信すること280を更に含む。
【００３７】
図３Ａ、３Ｂ及び３Ｃは、本開示の潜在的に重複する実施例によるフレーム／PPDU受信のための方法を示す。図３Ａは、本開示の実施例に従って受信無線局によりPPDUを受信するための方法302を示す。方法302は、フレーム／PPDUの受信305の際に、受信したPPDUに対応するスクランブル化器初期化フィールドで伝達されたスクランブル化器初期化値（scrambler  initialization  value,  SIV）を検出すること307を含む。方法は、SIVの特定のビットをプライマリチャネル、チャネル帯域幅及び／又はMIMOタイプの指示のような特定の所定のタイプの制御情報にマッピングする所定の解釈に従って、SIVの一部又は全部のビットを制御情報として解釈すること310を更に含む。検出307及び解釈310は、スクランブル化データ抽出器により実行できる。方法は、デスクランブル化器を使用して、SIVに基づいて、受信したPPDUの一部をデスクランブル化すること315を更に含む。解釈310及びデスクランブル化315は、必ずしも例示の順序で順次に実行される必要はない。
【００３８】
図３Ｂは、本開示の他の実施例に従って受信無線局によりフレーム／PPDUを受信するための方法330を示す。フレームは、スクランブル化器初期化フィールドを有するヘッダを含む。方法は、スクランブル化器初期化フィールドの少なくとも1ビットを検出し、少なくとも1ビットを制御情報として解釈すること335を含む。方法は、スクランブル化器初期化フィールドの内容に基づいて（すなわち、それに含まれるスクランブル化器初期化値に基づいて）PPDUの少なくとも一部をデスクランブル化すること340を更に含む。様々な実施例では、制御情報は、送信機により使用されるべきプライマリチャネル、送信機により使用されるべきチャネル幅（すなわち、帯域幅）、及び送信機により使用されるべきMIMOタイプのうち少なくとも１つを示す。
【００３９】
図３Ｃは、本開示の他の実施例に従って無線LAN通信のためのEDMGフレームにおける制御機能を示す方法360を示す。方法は、例えば、EMDGフレームの意図した受信者のような受信無線局により実現される。方法は、スクランブル化及び符号化（例えば、チャネル符号化）された送信を受信すること365を含む。方法は、スクランブル化及び符号化された送信を復号すること370を更に含む。方法は、復号された送信に含まれるPHYヘッダのスクランブル化器初期化フィールドの少なくとも1ビットを読み取ることにより、制御情報を取得すること375を更に含む。取得された制御情報は、EDMG無線LAN通信における少なくとも１つの制御機能に対応してもよい。受信した制御情報は、プライマリチャネル、チャネル幅及び／又はMIMOタイプでもよい。方法は、スクランブル化器初期化フィールドの内容に基づいて、例えば、スクランブル化器初期化フィールドの少なくとも1ビットを使用してデスクランブル化器ビットシフトレジスタを初期化することにより、復号された送信をデスクランブル化すること380を更に含む。方法は、制御情報及び復号されたデスクランブル化された送信を使用して、無線LAN通信を行うこと385を更に含む。
【００４０】
本開示は、AP及び非AP局を含む無線局（station,  STA）の間で通信するための装置、システム及び方法に関する。図４を参照して、例示的な従来技術のフレームフォーマットが提示される。例示的な従来技術のフレームフォーマットは、例えば、2012年12月28日のIEEE  Std.  802.11ad-2012の「IEEE  Standard  for  Information  technology-  Telecommunication  and  information  exchange  between  systems;  Local  and  metropolitan  area  networks-  Specific  requirements,  Part  11:  Wireless  LAN  medium  Access  Control  (MAC)  and  Physical  Layer  (PHY)  Specifications,  Amendment  3:  Enhancements  for  Very  High  Throughput  in  the  60  GHz  Band」（ここでは802.11adと呼ばれる）という名称のIEEEコンピュータ学会の文献の21章に記載されているような、802.11adにおいて使用されるフォーマットである。図４において、PPDU10は、５つのフィールド、すなわち、ショートトレーニングフィールド（Short  Training  Field,  STF）12、チャネル推定（Channel  Estimation,  CE）フィールド14、ヘッダフィールド16、データフィールド18及び自動利得制御（Automatic  Gain  Control,  AGC）及び受信／送信トレーニング（Receive/Transmit  Training,  TRN-R/T）フィールド20で構成される。認識されるように、この開示の図面に示すフレーム及びフィールドは、明瞭にするために整形されており、各フィールドのサイズを示す縮尺通りではない。いくつかの場合、フィールドは、参照テキストの長さに基づいてサイズ調節されており、したがって、各フィールド内に含まれるビット数を表さない。いくつかの文献では、STF12、CEフィールド14及びヘッダフィールド16は、「レガシー」で定義したフィールドであることを示すように頭文字「L」が付けられてもよい点に留意すべきである（例えば、Lヘッダ）。簡潔且つ明瞭にするために、出願人は、この開示においてこの命名法を採用していない。
【００４１】
STF12は、制御PHY及び非制御PHYの同期及び区別のために使用される。CEフィールド14は、チャネル推定のために使用される。任意選択で、CEフィールド14は、シングルキャリア（single  carrier,  SC）PHY及びOFDM  PHYの区別のために使用されてもよい。ヘッダフィールド16は、送信されるべき物理レイヤプロトコルデータユニット（Physical  Layer  Protocol  Data  Unit,  PPDU）の詳細を定義するいくつかのフィールドで構成されるか、或いはこれらを含む。データフィールド18は、スクランブル化、符号化及び変調されるべき物理レイヤサービスデータユニット（Physical  Layer  Service  Data  Unit,  PSDU）のペイロードデータで構成されるか、或いはこれを含む。AGC及びTRN-R/Tサブフィールド20は、ビーム微調整及びビームトラッキングのために使用される。
【００４２】
ヘッダフィールド16の実際の構成は、具体的な送信様式に応じて変化する。例えば、ヘッダフィールド16の３つの例は、制御PHY、OFDM  PHY及びSC  PHYに使用されるものである。制御PHY、OFDM  PHY及びSC  PHYのためのヘッダフィールドは、それぞれ、受信機が制御PHY  PPDU、OFDM  PHY  PPDU及びSC  PHY  PPDUの正確な受信を行うために送信中に使用される情報を含むフィールドを示す。図５Ａを参照すると、制御PHYのためのヘッダフィールド16aが示される。更に関係する詳細は、例えば、802.11adの21.4章に見つけることができる。図示のように、制御PHYヘッダフィールド16aは、1ビットの予備フィールド32と、4ビットのスクランブル化器初期化フィールド34と、10ビットの長さフィールド36と、1ビットのパケットタイプフィールド38と、5ビットのトレーニング長フィールド40と、1ビットのターンアラウンド（Turnaround）フィールド42と、2ビットの予備フィールド44と、16ビットのヘッダ検査系列（Header  Check  Sequence,  HCS）フィールド46とを含む。
【００４３】
図５Ｂを参照すると、OFDM  PHYのためのヘッダフィールド16bが示される。更に関係する詳細は、例えば、802.11adの21.5章に見つけることができる。図示のように、OFDM  PHYヘッダフィールド16bは、7ビットのスクランブル化器初期化フィールド50と、5ビットの変調及び符号化方式（Modulation  and  Coding  Scheme,  MCS）52と、18ビットの長さフィールド54と、1ビットの追加PPDUフィールド56と、1ビットのパケットタイプフィールド58と、5ビットのトレーニング長フィールド60と、1ビットの集約（Aggregation）フィールド62と、1ビットのビームトラッキング要求フィールド64と、1ビットのトーンペアリングタイプ（Tone  Pairing  Type）フィールド66と、1ビットのダイナミックトーンペアリング（Dynamic  Tone  Pairing,  DTP）インジケータフィールド68と、4ビットの最終受信信号強度インジケータ（Received  Signal  Strength  Indicator,  RSSI）フィールド70と、1ビットのターンアラウンドフィールド72と、2ビットの予備フィールド74と、16ビットのヘッダ検査系列（Header  Check  Sequence,  HCS）フィールド76とを含む。
【００４４】
図５Ｃを参照すると、シングルキャリアPHYのためのヘッダフィールド16cが示される。更に関係する詳細は、例えば、802.11adの21.6章に見つけることができる。図示のように、シングルキャリアPHYヘッダフィールド16cは、7ビットのスクランブル化器初期化フィールド80と、5ビットの変調及び符号化方式（Modulation  and  Coding  Scheme,  MCS）82と、18ビットの長さフィールド84と、1ビットの追加PPDUフィールド86と、1ビットのパケットタイプフィールド88と、5ビットのトレーニング長フィールド90と、1ビットの集約フィールド92と、1ビットのビームトラッキング要求フィールド94と、4ビットの最終受信信号強度インジケータ（Received  Signal  Strength  Indicator,  RSSI）フィールド100と、1ビットのターンアラウンドフィールド102と、4ビットの予備フィールド104と、16ビットのヘッダ検査系列（Header  Check  Sequence,  HCS）フィールド106とを含む。
【００４５】
送信の準備において、送信デバイスは、スクランブル化器初期化フィールドから取得されたスクランブル化器初期化値を使用して、AGC及びTRN-R/Tフィールド20のものを除くヘッダ内のスクランブル化器初期化フィールドに続くPPDU内のビットの全てに対してスクランブル化動作を実行する。スクランブル化動作は、データストリームを白色化するために、ヘッダ及びデータフィールドのビットを並び替えるか、或いはビットパターンを更新し、すなわち、送信側の観点からランダムであるように見えるようにする。図５Ａを参照すると、ビットB4の後の全てのビットは、スクランブル化器初期化ビットに基づいてスクランブル化され、すなわち、スクランブル化器シフトレジスタのビットx1、x2、x3、x4はスクランブル化器初期化フィールド34ビットB1〜B4、すなわち、ヘッダフィールド16aのビットB1〜B4を使用して初期化され、ビットx5、x6、x7は1に設定される。図５Ｂ及び５Ｃを参照すると、ビットB6の後の全てのビットは、スクランブル化器初期化フィールド50、80ビットB0〜B6、すなわち、ヘッダフィールド16b又は16cのビットB0〜B6に含まれる値に基づいてスクランブル化される。ヘッダフィールドビットは、「B0」で始まり順次に進むように、参照のために番号が付けられている。
【００４６】
スクランブル化することによりデータを白色化するための一般的な技術は、シード値を使用する擬似乱数生成器にデータを供給することである。802.11ad  PHY（例えば、802.11adの21章に記載されている）の場合、例えば、スクランブル化器は、所与のスクランブル化器初期化状態について多項式S(x)=x7+x4+1により生成された長さ127の周期系列と順に各ビットをXORする動作を使用するように選択されている。図５Ｂ及び５Ｃに示すSC及びOFDMの場合について最初の7ビット、及び図５Ａに示す制御PHYの場合の最初の5ビットを除き、PLCPヘッダビットは、交互に配置される。図５Ｂ及び５Ｃに示す場合、ビットB7が最初に配置される。図５Ａに示す場合、ビットB5が最初に配置される。PSDU及びパディングビットのオクテットは、各オクテットのビット0（最下位ビット（least  significant  bit,  LSB）が最初に配置され、各オクテットのビット7（最上位ビット（most  significant  bit,  MSB）が最後に配置されることで、ビットストリームに配置される。
【００４７】
PPDU毎に、送信機は、スクランブル化器のための非ゼロのシード値を選択する（図５Ａに示す制御PHYの場合にはビットx1〜x4、図５Ｂ及び５Ｃに示すSC  PHY及びOFDM  PHYの場合にはビットx1〜x7）。802.11ad標準は、シード値が擬似ランダム的に選択されることを提案する。シード値は、それぞれPLCPヘッダ16a、16b及び16cのスクランブル化器初期化フィールド34、50及び80に入る。次に、PPDUのデータフィールド18内の各データビットは、スクランブル化器の出力とXORされ（x4  XOR  x7）、スクランブル化器の内容が１回シフトされる。
【００４８】
シフトレジスタが実現のために使用される実施例について、動作が図６に概略的に示される。制御PHYの場合（図５Ａ参照）に関して、スクランブル化動作は、4ビットのスクランブル化器初期化フィールド34に基づいて定義される。この場合、スクランブル化器シフトレジスタ300は、4ビットのスクランブル化器初期化フィールド34（及びPLCPヘッダ16aのものも）のビットB1、B2、B3及びB4からのビット値を、図６に示すスクランブル化器シフトレジスタ300のビットx1、x2、x3及びx4に挿入することにより、且つビットx5、x6及びx7を「1」に設定することにより初期化される。次に、スクランブル化動作は、ビットB5から始まるヘッダビットを入力し、ヘッダ16aの残りについて続けて、最後のビットB39が入力された後に、全てのビットが処理されるまで或いは他の適切な停止条件に到達するまで、データフィールド18からのビットで続けることにより処理できる。
【００４９】
OFDM  PHY及びSC  PHYの場合（それぞれ図５Ｂ及び５Ｃ参照）に関して、スクランブル化動作は、7ビットのスクランブル化器初期化フィールド50、80に基づいて定義される。この場合、スクランブル化器シフトレジスタ300は、7ビットのスクランブル化器初期化フィールド50、80（及びPLCPヘッダフィールド16b又は16cのものも）のビットB0、B1、B2、B3、B4、B5及びB6からのビット値を、図６に示すスクランブル化器シフトレジスタ300のビットx1、x2、x3、x4、x5、x6及びx7に挿入することにより初期化される。次に、スクランブル化動作は、ビットB7から始まるヘッダビットを入力し、ヘッダ16aの残りについて続けて、最後のビットB63が入力された後に、全てのビットが処理されるまで或いは他の適切な停止条件に到達するまで、データフィールド18からのビットで続けることにより処理できる。
【００５０】
提案されたIEEE  802.11ay標準（現在の形式）は、EDMG  STAが、それが受信したいずれかのEDMG  PPDUのプライマリチャネル及び占有帯域幅を決定できるという機能を含む。レガシーSTAとの後方互換を可能にするために、各EDMG  PPDUのヘッダは、ヘッダ内の長さ及びMCSを検出するために、レガシーSTAにより復号できる。しかし、この制限内で、EDMG  STAフレームはまた、EDMG機能（例えば、チャネル結合及びMIMO）をサポートするために必要な更なるシグナリングを含む必要があり得る。これは、更なるシグナリングを収容するために制御ヘッダ内に十分な予備ビットが存在せず、帯域幅シグナリングのための送信要求（Request  to  Send,  RTS）、DMG送信可（Clear  to  Send,  CTS）内に十分な予備ビットが存在しないという制限を取り入れる。
【００５１】
したがって、データフレームの後方互換を保持しつつ、全ての必要なデータを適用可能なIEEE  802.11ay互換フレームに効率的に含めることが困難であるという従来技術の技術的問題が、ここで認識される。困難性は、一部は、全ての所望のヘッダ情報を伝達するために必要なビット数に対して、フレームヘッダ内の限られた数のビットによるものである。本開示の実施例は、このような問題に対処することを意図する。特に、前述のように、本開示の実施例は、スクランブル化／デスクランブル化動作及び１つ以上の他の目的の双方に使用されるデータを伝達するための、送信メッセージ（例えば、IEEE  802.11フレーム）の特定のビット（例えば、スクランブル化器初期化フィールドのビット）の使用に関する。
【００５２】
図７ａ及び７ｂを参照すると、EDMG  STAにより使用される従来技術のチャネライゼーションが示される（IEEE  802.11/15-1358-09-00ay-specification-framework-for-tgay）。チャネルを使用するための特定のデバイスの能力はまた、ローカルの規制ルール及び802.11ay標準により規定されたいずれかの更なるルールに依存する。図７ｂに示すチャネライゼーションが以下の例において後述される。
【００５３】
図８を参照すると、802.11ayにおいて現在提案されているEDMG  PLCPプロトコルデータユニット（PLCP（Physical  Layer  Convergence  Protocol）  protocol  data  unit,  PPDU）400が参照のために示される。EDMG  PPDU400に関して、Lヘッダ406はヘッダフィールド16と同等である。
【００５４】
802.11ac[5,  17.3.5.5章]の場合、スクランブル化動作は、データフィールドに関して使用される。データフィールド内でのスクランブル化動作では、データフィールド内のサービスフィールドは、7個のスクランブル化器初期化ビットと、全てが「0」に設定された9個の予約サービスビットとを含む16ビットで構成される。非HTのチャネル帯域幅が存在しないとき、スクランブル化器初期状態は、擬似ランダムの非ゼロ値に設定される。非HTのチャネル帯域幅が存在するとき、スクランブル化器は、スクランブル化系列B0〜B6で初期化される。非HTのチャネル帯域幅がCBW20に等しい場合、ビットB0〜B4は、非ゼロのランダム値に設定され、一方で、ビットB5、B6はチャネル帯域幅を示す。ビットB0〜B3は、非HTのチャネル帯域幅がCBW20に等しく、非HTの動的帯域幅が静的に等しい場合、4ビットの擬似ランダムの非ゼロ整数に設定され、そうでない場合、4ビットの擬似ランダムの整数になる。
【００５５】
IEEE  802.11ay標準について現在提案されている方法は、データフィールド18の前に含まれる固定の18バイトの情報長の制御トレーラフィールドを含む（例えば、IEEE  802.11-16/0105r0,  「Adding  control  trailer  to  control  mode  PPDUs」参照）。ヘッダフィールド16内の予備ビットは、制御トレーラの存在を示すために割り当てられてもよい。しかし、オーバーヘッドコストのため、制御情報が数ビットにより示されるときに制御トレーラの使用を回避することが望ましい。
【００５６】
本開示の実施例は、擬似ランダム的に設定される代わりに、制御情報を搬送するためにスクランブル化器初期化フィールド34、50、80内の少なくとも1ビットをオーバーロードすることを伴う。或る態様では、制御情報は、プライマリチャネルを識別してもよい。或る態様では、制御情報は、チャネル帯域幅を識別してもよい。或る態様では、制御情報は、MIMOタイプを示してもよい。或る態様では、制御情報は、プライマリチャネルの識別、チャネル帯域幅及びMIMOタイプのうち２つ以上の組み合わせを含んでもよい。或る態様では、スクランブル化器初期化フィールド34、50、80内の少なくとも1ビットは、制御情報を搬送するためにオーバーロードされ、スクランブル化器初期化フィールド34、50、80内の少なくとも１つの他のビットはランダム又は擬似ランダムに設定される。
【００５７】
次に、本開示のいくつかの例示的な実施例について説明する。これらの例示的な実施例は、様々な方法で変更又は結合できることが認識されるべきである。例えば、制御情報を伝達するために使用されるビット、及びビット値と制御情報（チャネル帯域幅及び／又は静的／動的な帯域幅のモード等）との間のマッピングは変更できる。ビット値と制御情報との間のマッピングは、送信及び受信局の双方に事前に認識されており、それにより、制御情報は２つの局の間でシグナリングできる。
【００５８】
例１−制御PHY：プライマリチャネル／チャネル帯域幅
図９に示すように、例示的な制御PHYは、制御PHY  PPDUについてのヘッダフィールド16a内のスクランブル化器初期化フィールド34をオーバーロードすることにより、プライマリチャネル及びチャネル帯域幅のそれぞれを示すように構成されてもよい。例１では、プライマリチャネルについて５つの選択肢、すなわち、i)PPDUを送信するチャネル、ii)チャネル#1、iii)チャネル#2、iv)チャネル#3、及びv)チャネル#4が存在することを仮定する。また、４つの利用可能な帯域幅の選択肢、すなわち、a)2.16GHz、b)4.32GHz、c)6.48GHz、及びd)8.64GHzが存在することも仮定する。
【００５９】
スクランブル化器初期化フィールド34（及びヘッダフィールド16a）のビットB1、B2、B3及びB4は、そのPPDUのために選択されたプライマリチャネル、チャネル帯域幅及び図７Ａに対応するチャネル番号に対応する、図９に示すテーブルに記載の値を含むようにオーバーロードされる。すなわち、スクランブル化器初期化フィールド34のビットB1〜B4は、図９に示すテーブルに従って、所望のチャネル及び帯域幅の選択に対応する値に設定される。スクランブル化動作では、ビットB1、B2、B3及びB4は、擬似乱数の代わりにスクランブル化器シフトレジスタ300のビットx1、x2、x3及びx4に入力され、ビットx5、x6及びx7は、前の場合のように、すなわち、図６に関して説明したように、それぞれ「1」に設定される。図９における一番右の列は、図７Ａにおいて定義されたチャネル番号を示す。
【００６０】
例２−802.11ayにおける制御PHY：静的／動的な帯域幅の動作
図１０に示すように、例示的な制御PHYは、制御PHY  EDMG  PPDUについてのヘッダフィールド16a内のスクランブル化器初期化フィールド34をオーバーロードすることにより、静的／動的なチャネル帯域幅の設定及びチャネル帯域幅のそれぞれを示すように構成されてもよい。例２では、ビットB3は、チャネル帯域幅の設定が静的であるか動的であるかを示すために使用される。ビットB1及びB2は、４つの利用可能な帯域幅の選択肢、すなわち、a)2.16GHz、b)4.32GHz、c)6.48GHz、及びd)8.64GHzが存在するという仮定に基づいて、選択されたチャネル帯域幅を示すために使用される。
【００６１】
チャネル帯域幅の設定が動的である場合、チャネル帯域幅は、利用可能なチャネルを含むように拡張できる。例えば、２つの2.16GHzチャネルが空いている場合、4.32GHzで送信でき、３つの2.16GHzチャネルが空いている場合、6.48GHzで送信でき、４つの2.16GHzチャネルが空いている場合、8.64GHzで送信できる。動的なチャネル帯域幅の設定では、帯域幅は、2.16GHzと指定の最大チャネル帯域幅を含むものとの間で自動的に変化できる。帯域幅は、2.16GHzの倍数に制限される。最大チャネル帯域幅は、図１０における一番右の２つの列に従って、ビットB1及びB2により設定される。
【００６２】
チャネル帯域幅の設定が静的である場合、帯域幅は、4.32GHz、6.48GHz又は8.64GHzのうち１つに設定されてもよい。広帯域チャネル内のセカンダリ2.16GHzチャネルが利用可能でない場合、送信機は、プライマリチャネルでの送信手順を再開できる。静的なチャネル帯域幅の設定では、帯域幅は指定の値に固定され、可能性と共に変化しない。
【００６３】
チャネル帯域幅は、利用可能な帯域幅（例えば、この場合、2.16GHz、4.32GHz、6.48GHz又は8.64GHz）のうち１つを選択することにより示されてもよい。
【００６４】
スクランブル化器初期化フィールド34のビットB1、B2及びB3は、そのPPDUについて選択された静的／動的なチャネル帯域幅の設定及びチャネル帯域幅に対応する、図１０に示すテーブルに記載の値を含むようにオーバーロードされる。スクランブル化動作では、ビットB1、B2及びB3は、擬似乱数の代わりにスクランブル化器シフトレジスタ300のビットx1、x2及びx3に入力され、ビットB4は擬似ランダムに選択されてスクランブル化器シフトレジスタ300のビットx4に入力され、スクランブル化器ビットx5、x6及びx7は、前の場合のように、それぞれ「1」に設定される。
【００６５】
言い換えると、例２では、スクランブル化器初期化フィールドのビットB1及びB2は、チャネル帯域幅が2.16GHzと8.64GHzを含むものとの間にある2.16GHzの倍数であることを伝達するために、図１０に示すテーブルに従って設定及び／又は解釈される。ビットB1及びB2により示されるチャネル帯域幅が4.32GHz以上であるとき、スクランブル化器初期化フィールドのビットB3は、チャネル帯域幅の設定が静的であること（B3=「0」であるとき）又は動的であること（B3=「1」であるとき）を伝達するように、図１０に示すテーブルに従って設定及び／又は解釈される。ビットB1及びB2により示されるチャネル帯域幅が2.16GHzであるとき、双方の設定が同一の動作を生じるため、チャネル帯域幅が静的であるか動的であるかの問題は関係ない。この場合、ビットB3の値は、任意に、例えば、ランダム又は擬似ランダムに「1」又は「0」に設定できる。B3のこのようなランダム又は擬似ランダムな設定は、B3もスクランブル化器初期化フィールドの一部であるため、スクランブル化の「白色化」を改善できる。
【００６６】
例３−SC  PHY及びOFDM  PHY：プライマリチャネル／チャネル帯域幅
図１１に示すように、例示的なSC  PHY及びOFDM  PHYは、SC  PHY／OFDM  PHY  EDMG  PPDUについてのヘッダフィールド16b、16c内のスクランブル化器初期化フィールド50、80をオーバーロードすることにより、プライマリチャネル及びチャネル帯域幅のそれぞれを示すように構成されてもよい。例３では、プライマリチャネルについて４つの選択肢、すなわち、i)チャネル#1、ii)チャネル#2、iii)チャネル#3、及びiv)チャネル#4が存在することを仮定する。また、４つの利用可能な帯域幅の選択肢、すなわち、a)2.16GHz、b)4.32GHz、c)6.48GHz、及びd)8.64GHzが存在することも仮定する。
【００６７】
スクランブル化器初期化フィールド50、80（したがって、ヘッダフィールド16b又は16c）のビットB0、B1、B2及びB3は、そのPPDUのために選択されたプライマリチャネル及びチャネル帯域幅に対応する、図１１に示すテーブルに記載の値を含むようにオーバーロードされる。すなわち、スクランブル化器初期化フィールド50、80のビットB0〜B3は、図１１に示すテーブルに従って、所望のチャネル及び帯域幅の選択に対応する値に設定される。スクランブル化動作では、ビットB0、B1、B2及びB3は、擬似乱数の代わりにスクランブル化器シフトレジスタ300のビットx1、x2、x3及びx4に入力され、スクランブル化器のビットx5、x6及びx7は、前の場合のように、すなわち、図６に関して説明したように、それぞれ擬似ランダムに設定される。図１１における一番右の列は、図７Ａにおいて定義されたチャネル番号を示す。
【００６８】
例４−802.11ayにおけるSC  PHY及びOFDM  PHY：静的／動的な帯域幅の動作
図１２に示すように、例示的なSC  PHY及びOFDM  PHYフォーマットは、OFDM  PHY  EDMG  PPDUについてのヘッダフィールド16b内のスクランブル化器初期化フィールド50、及びSC  PHY  EDMG  PPDUについてのヘッダフィールド16c内のスクランブル化器初期化フィールド80をオーバーロードすることにより、静的／動的なチャネル帯域幅の設定及びチャネル帯域幅のそれぞれを示すように構成されてもよい。例４では、ビットB2は、チャネル帯域幅の設定が静的であるか動的であるかを示すために使用される。ビットB0及びB1は、４つの利用可能な帯域幅の選択肢、すなわち、a)2.16GHz、b)4.32GHz、c)6.48GHz、及びd)8.64GHzが存在するという仮定に基づいて、選択されたチャネル帯域幅を示すために使用される。
【００６９】
チャネル帯域幅の設定が動的である場合、チャネル帯域幅は、利用可能なチャネルを含むように拡張できる。例えば、２つの2.16GHzチャネルが空いている場合、4.32GHzで送信でき、３つの2.16GHzチャネルが空いている場合、6.48GHzで送信でき、４つの2.16GHzチャネルが空いている場合、8.64GHzで送信できる。動的なチャネル帯域幅の設定では、帯域幅は、2.16GHzと指定の最大チャネル帯域幅を含むものとの間で自動的に変化できる。帯域幅は、2.16GHzの倍数に制限される。最大チャネル帯域幅は、図１２における一番右の２つの列に従って、ビットB0及びB1により設定される。
【００７０】
チャネル帯域幅の設定が静的である場合、帯域幅は、4.32GHz、6.48GHz又は8.64GHzのうち１つに設定されてもよい。広帯域チャネル内のセカンダリ2.16GHzチャネルが利用可能でない場合、送信機は、プライマリチャネルでの送信手順を再開できる。静的なチャネル帯域幅の設定では、帯域幅は指定の値に固定され、可能性と共に変化しない。
【００７１】
チャネル帯域幅は、利用可能な帯域幅（例えば、この場合、2.16GHz、4.32GHz、6.48GHz又は8.64GHz）のうち１つを選択することにより示されてもよい。
【００７２】
スクランブル化器初期化フィールド50及び80のビットB0、B1及びB2は、そのPPDUについて選択された静的／動的なチャネル帯域幅の設定及びチャネル帯域幅に対応する、図１２に示すテーブルに記載の値を含むようにオーバーロードされる。スクランブル化動作では、ビットB0、B1及びB2は、擬似乱数の代わりにスクランブル化器シフトレジスタ300のビットx1、x2及びx3に入力され、ビットB3〜B6は擬似ランダムに選択され、スクランブル化器シフトレジスタ300のビットx4〜x7に入力される。さらに、一般的にこの例は、制御フレームに適用されるべき制御機能を制限し、同様にEDMG  SC及びEDMG  OFDMフレームに適用可能とすることができる。
【００７３】
言い換えると、例４では、スクランブル化器初期化フィールドのビットB1及びB0は、チャネル帯域幅が2.16GHzと8.64GHzを含むものとの間にある2.16GHzの倍数であることを伝達するために、図１２に示すテーブルに従って設定及び／又は解釈される。ビットB1及びB0により示されるチャネル帯域幅が4.32GHz以上であるとき、スクランブル化器初期化フィールドのビットB2は、チャネル帯域幅の設定が静的であること（B2=「0」であるとき）又は動的であること（B2=「1」であるとき）を伝達するように、図１２に示すテーブルに従って設定及び／又は解釈される。ビットB1及びB0により示されるチャネル帯域幅が2.16GHzであるとき、双方の設定が同一の動作を生じるため、チャネル帯域幅が静的であるか動的であるかの問題は関係ない。この場合、ビットB2の値は、任意に、例えば、ランダム又は擬似ランダムに「1」又は「0」に設定できる。B2のこのようなランダム又は擬似ランダムな設定は、B2もスクランブル化器初期化フィールドの一部であるため、スクランブル化の「白色化」を改善できる。
【００７４】
例５−SC  PHY及びOFDM  PHY：MIMO及び送信ダイバーシチ
チャネル帯域幅及び／又は使用されるチャネルについての情報を提供することに加えて、或いはその代わりに、スクランブル化器初期化フィールド50、80は、他の制御情報を伝達するために使用されてもよい。この場合、他の制御情報は、MIMO設定又は送信ダイバーシチ設定を含む。例３、４は、例示目的でスクランブル化器初期化フィールド50、80のビットB0、B1、B2を（また、例３の場合にはB3も）利用しているため、例５は、プライマリチャネル、チャネル帯域幅及びMIMO又は送信ダイバーシチのいずれかがスクランブル化器初期化フィールド50、80内で同時に示されてもよい例を示すために、他の制御情報をビットB4及びB5に符号化する。したがって、いくつかの実施例では、例５は、例３又は４と同時に実現される。これらの例において提供される具体的なビット及びビット順序は例示目的のためであり、他の組み合わせ及び順序も考えられることが認識される。さらに、MIMO設定又は送信ダイバーシチ設定のような制御情報は、必ずしもプライマリチャネル及び／又はチャネル帯域幅の設定を示す必要なく、ビットオーバーロードにより示されることができる。
【００７５】
図１３に示すように、例えば、MIMOの場合、（スクランブル化器初期化フィールド50又は80、したがって、ヘッダフィールド16b又は16cの）ビットB4及びB5は、所望のMIMO設定を示すために使用されてもよく、一方で、ビットB6（ビットB5に続く）は、任意に、例えば擬似ランダムに、或いは他の制御情報を伝達するように選択されてもよい。ビットB4及びB5とMIMO設定との間のマッピングは、図１３に示される。ビットB0、B1、B2及びB3は、擬似ランダムに選択されてもよく、或いは他の制御情報を伝達するために使用されてもよい。次に、オーバーロードされたスクランブル化器初期化フィールド50、80のビットは、前述のようにスクランブル化器シフトレジスタを初期化するために使用されてもよい。
【００７６】
したがって、ビットB4及びB5の値を適切に設定することにより、使用されるべきMIMO設定（又はその欠如）の指示が伝達できる。図示の指示は、シングル・インプット・シングル・アウトプット（Single  Input  Single  Output,  SISO）動作の指示と、2x2、3x3及び4x4のMIMO動作の指示とを含む。当業者により容易に理解されるように、NxNのMIMO動作は、N個の送信アンテナ及びN個の受信アンテナが利用される動作を示す。SISO動作は、１つの送信アンテナ及び１つの受信アンテナでの動作を示す。
【００７７】
図１４は、スクランブル化器初期化フィールド50又は80（したがって、また、ヘッダフィールド16b又は16c）のビットB4及びB5と、対応するMIMO送信ダイバーシチ設定制御情報との間の代替のマッピングを示す。ビットB4及びB5の値を適切に設定することにより、使用されるべき送信ダイバーシチのタイプ（又はその欠如）の指示が伝達できる。図示の指示は、SISO動作の指示と、2x1送信ダイバーシチ動作の指示と、4x1送信ダイバーシチ動作の指示とを含む。当業者により容易に理解されるように、Nx1送信ダイバーシチ動作は、N個の送信アンテナ及び１つの受信アンテナが利用される動作を示す。
【００７８】
図１４に示すように、例えば、送信ダイバーシチの場合、ビットB4及びB5は、送信ダイバーシチ設定を示すために使用されてもよく、一方で、ビットB6は、任意に、例えば擬似ランダムに、或いは他の制御情報を伝達するように選択されてもよい。ビットB0、B1、B2及びB3は、擬似ランダムに選択されてもよく、或いは他の制御情報を伝達するために使用されてもよい。次に、オーバーロードされたスクランブル化器初期化フィールド50、80のビットは、前述のようにスクランブル化器シフトレジスタを初期化するために使用されてもよい。さらに、一般的にこの例は、制御フレームに適用されるべき制御機能を制限し、同様にEDMG  SC及びEDMG  OFDMフレームに適用可能とすることができる。
【００７９】
いくつかの実施例では、ビットの間のマッピングが（例えば、図１３のような）MIMO設定を示すものとして解釈されるか、（例えば図１４のような）送信ダイバーシチ設定を示すものとして解釈されるかは、送信機及び受信機の局に既知の動作状況に依存することができる。動作状況は、事前に認識できるか、或いは例えば、スクランブル化器初期化フィールドの他のオーバーロードされたビットを使用して、送信機及び受信機の局の間で通信できる。
【００８０】
例６−制御PHYヘッダ内のチャネル帯域幅の指示
図１５を参照すると、本発明の実施例に従って、制御PHYヘッダ内のチャネル帯域幅の指示の例示的な定義が示される。図示の定義では、スクランブル化器初期化フィールドは、制御モードPPDUで使用される。図１５の例示的なスクランブル化器初期化フィールドは、双方が「1」に設定されたLヘッダフィールドの予備ビット22及び23を有する。図８は、Lヘッダフィールド406を示す。すなわち、図５Ａに示す（且つ予備フィールド44に対応する）制御PHYヘッダフィールド16aのビットB22及びB23は、共に「1」に設定される。図１５及び以下の説明において、ビット番号B1〜B4は、（例えば、図５Ａに示すビット番号付けについて）制御PHYヘッダのビットを示す。括弧付きのビット番号（B0）〜（B3）は、代替のビットの番号付け、例えば、B0で始まるスクランブル化器初期化フィールド自体のビットの番号付けを示す。スクランブル化動作において、ビットB1及びB2が「0」であり、ビットB3及びB4が予備であるとき、これは、制御トレーラの存在を示す。ビットB1が「0」であり、B2が「1」であり、ビットB3及びB4が予備であるとき、これは、EDMG-Header-Aフィールドの存在を示し、これは、PPDUがEDMG制御モードPPDUであることを意味する。ビットB1が「1」であるとき且つPPDUがRTS又はDMG  CTSフレームを含むとき、チャネルBWフィールドは、PPDUの帯域幅を示す。そうでない場合、チャネルBWフィールドは予備である。すなわち、制御PHYヘッダフィールド16aの双方のビットB1及びB2を「0」に設定することは、制御トレーラの存在を示すために使用され、ビットB1を「0」に、ビットB2を「1」に設定することは、EDMG-Header-Aフィールドの存在を示すために使用される。いずれの場合でも、制御PHYヘッダフィールド16aのビットB3及びB4は予備である。さらに、制御PHYヘッダフィールド16aのビットB1を「1」に設定し、さらに、制御PHYヘッダに関連するPPDUがRTS又は（DMG）CTSフレームを含むとき、制御PHYヘッダフィールド16aのビットB2〜B4は、PPDUの帯域幅を示すために使用される。いくつかの実施例では、図５Ｂに示すOFDM  PHYヘッダ又は図５Ｃに示すSC  PHYヘッダのスクランブル化器初期化フィールドは、図１５に示す原理に従って同様に定義できる点に留意すべきである。
【００８１】
図１５及び１７では、最初の行の一番右の列における参照[1]は、2017年3月のIEEE  Computer  Societyの「P802.11ayTM/D0.3;  10  Draft  Standard  for  Information  Technology;  Telecommunications  and  Information  Exchange  Between  Systems  -  Local  and  Metropolitan  Area  Networks  -  Specific  Requirements  -  Part 11:  Wireless  LAN  Medium  Access  Control  (MAC)  and  Physical  Layer  (PHY)  Specifications,  Amendment  7:  Enhanced  throughput  for operation  in  license-exempt  bands  above  45  GHz」というIEEE文書のバージョンを参照する。
【００８２】
図１６を参照すると、前述のようにビットフィールドB1、B2及びB3における（すなわち、これらを介して示される）チャネルBWフィールドの例示的な定義が提示される。この定義では、所望のチャネライゼーションを構成するチャネルについて４つの選択肢、すなわち、i)N、ii)N+1、iii)N+2及びiv)N+3が存在することが仮定される。図１５に示すように、NはPPDUが送信される最低のチャネル番号の値である。また、４つの利用可能な帯域幅の選択肢、すなわち、a)2.16GHz、b)4.32GHz、c)6.48GHz及びd)8.64GHzが存在することも仮定する。チャネルBWフィールドの値は、これらの選択肢に相互に関係する。例えば、2.16GHzが所望の帯域幅である場合、チャネルBWフィールドの値は、ゼロに設定され、N〜N+3までの全てのチャネルは、他のチャネルと独立して利用可能になる。4.32GHzが所望のチャネル帯域幅である場合、チャネルBWフィールドの値は、Nが偶数である場合に「1」に設定され、Nが奇数である場合に2に設定される。チャネルN及びN+1又はチャネルN+2及びN+3は、チャネライゼーションのために使用できる。図１６におけるチャネルBWフィールドの値は、0と5との間の数値であり、これは、3ビットのバイナリ表現を使用してチャネルBWフィールドに符号化される。
【００８３】
図１７に示すように、本開示によるPHYヘッダ（例えば、制御PHYヘッダ）内のチャネル帯域幅の指示の定義の実施例が提示される。
【００８４】
図１７及び以下の説明において、ビット番号B1〜B4は、（例えば、図５Ａに示すビット番号付けについて）制御PHYヘッダのビットを示す。括弧付きのビット番号（B0）〜（B3）は、代替のビットの番号付け、例えば、B0で始まるスクランブル化器初期化フィールド自体のビットの番号付けを示す。スクランブル化動作において、ビットB1及びB2が「0」であり、ビットB3及びB4が擬似ランダムであることは、制御トレーラの存在を示す。ビットB1が「0」であり、B2が「1」であり、B3及びB4が擬似ランダムであることは、EDMG-Header-Aフィールドの存在を示し、これは、PPDUがEDMG制御モードPPDUであることを意味する。すなわち、B1及びB2を「1」に設定することは、制御トレーラの存在を示し、B1を「0」に、B2を「1」に設定することは、EDMG-Headerフィールドの存在を示す。いずれの場合でも、B3及びB4は擬似ランダムに設定できる。ビットB1が「1」であるとき且つPPDUがRTS又はDMG  CTSフレームを含むとき、チャネルBWフィールドは、PPDUの帯域幅を示す。そうでない場合、チャネルBWフィールドは擬似ランダムに設定される（或いは代替として予備である）。チャネルBWフィールドは、図１８又は図１６において設定されるように定義され、NはPPDUが送信される最低のチャネル番号の値である。制御モードのIEEE  802.11ay  Lヘッダ内のスクランブル化器初期化フィールドを使用するこの手法は、IEEE  802.11adと後方互換がある。いくつかの実施例では、図５Ｂに示すOFDM  PHYヘッダ又は図５Ｃに示すSC  PHYヘッダのスクランブル化器初期化フィールドは、図１７に示す原理に従って同様に定義できる点に留意すべきである。
【００８５】
図１７において、ビットB1が「0」であるとき、ビットB3及びB4は擬似ランダム方式での割り当てられた値である点に留意すべきである。したがって、（制御PHYヘッダ16aの）ビットB3及びB4により伝達されるスクランブル化器初期化値の少なくとも一部は、擬似ランダムに値を割り当てられる。これは、スクランブル化動作のランダム化又は「白色化」を提供する傾向があり、これは、スクランブル化の意図した機能である。
【００８６】
例７−チャネルBWフィールド
図１８を参照すると、本開示の実施例に従って、PHYヘッダフィールド（例えば、制御PHYヘッダフィールド又は他のタイプのPHYヘッダフィールド）のスクランブル化器初期化フィールドのビットフィールドB1、B2及びB3内のチャネルBWフィールドの例示的な定義が提示される。この例示的な定義では、チャネル1〜チャネル4のみがEDMGチャネライゼーション内に存在する（或いは考えられている）と仮定される。EDMGチャネライゼーションに関するこのような番号のチャネルの定義は、当業者により容易に理解される。これらのチャネルのチャネルBWは、2.16GHzであり、すなわち、それぞれ2.16GHzである。
【００８７】
チャネルBWフィールド値が0であるとき、所望のチャネル帯域幅は2.16GHzであり、チャネル1、2、3又は4が割り当てられ、すなわち、これらのチャネルのいずれか１つは、PPDU送信に使用できる。チャネルBWフィールド値が1であるとき、所望のチャネル帯域幅は4.32GHzであり、チャネル1-2、チャネル2-3又はチャネル3-4が割り当てられる。ここで使用されるダッシュ「-」で分離したチャネルの範囲は、この範囲のチャネルが結合されることを示す。チャネルBWフィールド値が2であるとき、所望のチャネル帯域幅は6.48GHzであり、チャネル1-3又はチャネル2-4が割り当てられる。チャネルBWフィールド値が3であるとき、所望のチャネル帯域幅は8.64GHzであり、チャネル1-4が割り当てられる。4に等しいチャネルBWフィールド値は、2.16GHz及び2.16GHzの帯域幅を有する２つのチャネルのキャリアアグリゲーションであり、２つのチャネルは隣接しており、すなわち、チャネル1及びチャネル2、チャネル2及びチャネル3又はチャネル3及びチャネル4が割り当てられることを示す。5に等しいチャネルBWフィールド値は、2.16GHz及び2.16GHzの帯域幅を有する２つのチャネルのキャリアアグリゲーションであり、２つのチャネルが１つのチャネルにより分離されており、すなわち、チャネル1及びチャネル3又はチャネル2及びチャネル4が割り当てられることを示す。6に等しいチャネルBWフィールド値は、4.32GHz及び4.32GHzの帯域幅を有する２つのチャネルのキャリアアグリゲーションであり、２つのチャネルは隣接したチャネルであり、すなわち、チャネル1-2及びチャネル3-4が割り当てられることを示す。チャネルBWフィールド値が7であるとき、所望のチャネル帯域幅は予備であり、チャネル割り当ては存在しない。すなわち、7のチャネルBWフィールド値は予備であり、チャネル帯域幅又はチャネル割り当てによって割り当てられていない。図１８におけるチャネルBWフィールド値は、0と7との間の数値であり、これはPHYヘッダフィールドのビットB1、B2及びB3を介して表される3ビットのバイナリ表現を使用してチャネルBWフィールドに符号化される。
【００８８】
例８−チャネルBWフィールド
図１９を参照すると、本開示の実施例に従って、PHYヘッダフィールド（例えば、制御PHYヘッダフィールド又は他のタイプのPHYヘッダフィールド）のスクランブル化器初期化フィールドのビットフィールドB1、B2及びB3内のチャネルBWフィールドの例示的な定義が提示される。この例示的な定義では、チャネル1〜チャネル6のみがEDMGチャネライゼーション内に存在する（或いは考えられている）と仮定される。これらのチャネルのチャネルBWは、2.16GHzである。
【００８９】
チャネルBWフィールド値が0であるとき、所望のチャネル帯域幅は2.16GHzであり、チャネル1、2、3、4、5又は6が割り当てられる。チャネルBWフィールド値が1であるとき、所望のチャネル帯域幅は4.32GHzであり、チャネル1-2、チャネル2-3、チャネル3-4、チャネル4-5又はチャネル5-6が割り当てられる。チャネルBWフィールド値が2であるとき、所望のチャネル帯域幅は6.48GHzであり、チャネル1-3、チャネル2-4、チャネル3-5又はチャネル4-6が割り当てられる。チャネルBWフィールド値が3であるとき、所望のチャネル帯域幅は8.64GHzであり、チャネル1-4、チャネル2-5又はチャネル3-6が割り当てられる。4に等しいチャネルBWフィールド値は、2.16GHz及び2.16GHzの帯域幅を有する２つのチャネルのキャリアアグリゲーションであり、２つのチャネルは隣接しており、すなわち、チャネル1及びチャネル2、チャネル2及びチャネル3、チャネル3及びチャネル4、チャネル4及びチャネル5又はチャネル5及びチャネル6が割り当てられることを示す。5に等しいチャネルBWフィールド値は、2.16GHz及び2.16GHzの帯域幅を有する２つのチャネルのキャリアアグリゲーションであり、２つのチャネルが１つのチャネルにより分離されており、すなわち、チャネル1及びチャネル3、チャネル2及びチャネル4、チャネル3及びチャネル5又はチャネル4及びチャネル6が割り当てられることを示す。6に等しいチャネルBWフィールド値は、4.32GHz及び4.32GHzの帯域幅を有する２つの結合したチャネルのキャリアアグリゲーションであり、２つのチャネルは隣接しており、すなわち、チャネル1-2及びチャネル3-4又はチャネル2-3及びチャネル4-5又はチャネル3-4及びチャネル5-6が割り当てられることを示す。7に等しいチャネルBWフィールド値は、4.32GHz及び4.32GHzの帯域幅を有する２つの結合したチャネルのキャリアアグリゲーションであり、２つのチャネルが１つのチャネルにより分離されており、すなわち、チャネル1-2及びチャネル4-5又はチャネル2-3及びチャネル5-6が割り当てられることを示す。図１８におけるチャネルBWフィールド値は、0と7との間の数値であり、これはPHYヘッダフィールドのビットB1、B2及びB3を介して表される3ビットのバイナリ表現を使用してチャネルBWフィールドに符号化される。
【００９０】
例９−EDMG  SC及びEDMG  OFDMモードのLヘッダ内のMIMO設定の指示
IEEE  802.11ay仕様フレームワーク文書（Specification  Framework  Document,  SFD）に定義されたLヘッダ内の帯域幅の指示と同様に、マルチプル・インプット・マルチプル・アウトプット（multiple-input  multiple-output,  MIMO）設定もEDMG  SC又はEDMG  OFDMモードの（すなわち、のための）Lヘッダ内で示されることが望ましい。これは、例えば、受信機がMIMO受信のためにRF回路を準備するのに十分な時間を有するために、望ましくなり得る。したがって、本開示の実施例は、例えば、スクランブル化器初期化フィールドの１つ以上のビット又はスクランブル化器初期化値を搬送する他のビットにオーバーロードされるMIMO設定情報を提供する。
【００９１】
図２０を参照すると、EDMG  SC又はEDMG  OFDMモードを使用して送信されるときの最終RSSIフィールドのビット割り当ての例示的な定義が提示される。この定義では、「IsSISO」フィールドは、PPDUが詳細なMIMO設定のない単一のストリーム又はマルチストリームのPPDUであることのみを示す。最終RSSIフィールドは、それぞれ図５Ｂ及び５Ｃにおいてフィールド70及び100として示される。図２０におけるビット番号「B0」〜「B3」は、全体ヘッダのビット番号ではなく、最終RSSIフィールド自体のビット番号を示すことが強調されるべきである。すなわち、図２０における「B0」は、図５Ｂにおける「B41」又は図５Ｃにおける「B39」に対応してもよい。図２０における参照[1]は、この場合も、2017年3月のIEEE  Computer  Societyの「P802.11ayTM/D0.3;  10  Draft  Standard  for  Information  Technology;  Telecommunications  and  Information  Exchange  Between  Systems  -  Local  and  Metropolitan  Area  Networks  -  Specific  Requirements  -  Part 11:  Wireless  LAN  Medium  Access  Control  (MAC)  and  Physical  Layer  (PHY)  Specifications,  Amendment  7:  Enhanced  throughput  for operation  in  license-exempt  bands  above  45  GHz」というIEEE文書のバージョンを参照する。
【００９２】
図２１を参照すると、例示的な従来技術のEDMG-Header-Aフィールド構造及びシングルユーザ（Single  User,  SU）PPDUのための定義が提示される。この例示では、「SS数」フィールドは、EDMG-Header-Aにおいて、PPDUで送信される空間ストリーム数を示し、これはMIMO指示に遅れてもよい。
【００９３】
図２２に示すように、EDMG  SC及びEDMG  OFDMモードのLヘッダ内のMIMO設定の指示が、本開示の実施例に従って提示される。この実施例では、ビットB0、B1、B2、B3及びB4がランダム又は擬似ランダムに値を割り当てられる。ビットB5、B6及びB7は、空間ストリーム（spatial  stream,  SS）数を示す。ビットB5、B6及びB7の値に1を加えたものは、PPDUで送信されるSS数を示す。ビットB0〜B7は、Lヘッダのビットを示し、これは、スクランブル化器初期化フィールドを表す。これらのビットは、対応するPPDUのデータ部分において使用される空間ストリーム数を示すために使用される。したがって、スクランブル化器初期化フィールドを介して伝達されるか、さもなければスクランブル化器初期化値を示すビットでオーバーロードされる制御情報は、例えばPPDUで送信されている空間ストリーム数を示す制御情報を含むことができる。さらに、一般的にこの例は、制御フレームに適用されるべき制御機能を制限し、同様にEDMG  SC及びEDMG  OFDMフレームに適用可能とすることができる。
【００９４】
図２３は、ここに開示のデバイス及び方法を実現するために使用され得るコンピューティングシステム2300のブロック図である。具体的なデバイスは、図示のコンポーネントの全て又はコンポーネントのサブセットのみを利用してもよく、統合のレベルは、デバイス毎に変化してもよい。さらに、デバイスは、複数の処理ユニット、プロセッサ、メモリ、送信機、受信機等のようなコンポーネントの複数のインタフェースを含んでもよい。コンピューティングシステム2300は、処理ユニット2302を含む。処理ユニット2302は、典型的には、中央処理装置（central  processing  unit,  CPU）2314と、バス2320と、メモリ2308とを含み、また、任意選択で大容量記憶デバイス2304と、ビデオアダプタ2310と、I/Oインタフェース2312とを含んでもよい（破線で図示する）。
【００９５】
CPU2314は、いずれかの種類の電子データプロセッサを含んでもよい。メモリ2308は、スタティックランダムアクセスメモリ（static  random  access  memory,  SDRAM）、ダイナミックランダムアクセスメモリ（dynamic  random  access  memory,  DRAM）、シンクロナスDRAM（synchronous  DRAM,  SDRAM）、読み取り専用メモリ（read-only  memory,  ROM）、これらの組み合わせ等のようないずれかの種類の非一時的なシステムメモリを含んでもよい。実施例では、メモリ2308は、ブートアップ時に使用するROMと、プログラムを実行する間に使用するプログラム及びデータ記憶のためのDRAMとを含んでもよい。バス2320は、メモリバス若しくはメモリコントローラ、ペリフェラルバス又はビデオバスを含むいずれかの種類のいくつかのバスアーキテクチャのうち１つ以上でもよい。
【００９６】
大容量記憶デバイス2304は、データ、プログラム及び他の情報を記憶し、バス2320を介してデータ、プログラム及び他の情報をアクセス可能にするように構成されたいずれかの種類の非一時的な記憶デバイスを含んでもよい。大容量記憶デバイス2304は、例えば、ソリッドステートドライブ、ハードディスクドライブ、磁気ディスクドライブ又は光ディスクドライブのうち１つ以上を含んでもよい。
【００９７】
ビデオアダプタ2310及びI/Oインタフェース2312は、外部入力及び出力デバイスを処理ユニット102に結合するための任意選択のインタフェースを提供する。入力及び出力デバイスの例は、ビデオアダプタ2310に結合されたディスプレイ2318と、I/Oインタフェース2312に結合されたタッチスクリーンのようなI/Oデバイス2316を含む。他のデバイスが処理ユニット2302に結合されてもよく、更なるインタフェース又はより少ないインタフェースが利用されてもよい。例えば、ユニバーサルシリアルバス（Universal  Serial  Bus,  USB）（図示せず）のようなシリアルインタフェースは、外部デバイスのためのインタフェースを提供するために使用されてもよい。
【００９８】
処理ユニット2302はまた、１つ以上のネットワークインタフェース2306を含み、これは、イーサーネットケーブル等のような有線リンク及び／又は１つ以上のネットワーク2322にアクセスするための無線リンクを含んでもよい。ネットワークインタフェース2306は、処理ユニット2302がネットワーク2322を介してリモートエンティティと通信することを可能にする。例えば、ネットワークインタフェース2306は、１つ以上の送信機／送信アンテナ及び１つ以上の受信機／受信アンテナを介して無線通信を提供してもよい。実施例では、処理ユニット2302は、他の処理ユニット、インターネット、リモート記憶施設等のようなリモートデバイスとの通信及びデータ処理のために、ローカルエリアネットワーク又は広域ネットワークに結合される。
【００９９】
前述の実施例の説明を通じて、本発明は、ハードウェアのみを使用することにより、或いはハードウェアプラットフォーム上での実行のためにソフトウェアを使用することにより実現されてもよい。このような理解に基づいて、本発明の技術的解決策は、ソフトウェアプロダクトの形式で具現されてもよい。ソフトウェアプロダクトは、不揮発性又は非一時的な記憶媒体に記憶されてもよく、これは、コンパクトディスク読み取り専用メモリ（compact  disk  read-only  memory,  CD-ROM）、USBフラッシュディスク、ROM、永続的なRAM又は他の非一時的な記憶媒体とすることができる。ソフトウェアプロダクトは、無線接続コンピューティングデバイスが本発明の実施例において提供される方法を実行することを可能にする複数の命令を含む。ソフトウェアプロダクトは、コンピュータデバイスが本発明の実施例に従ってデジタル論理装置を設定又はプログラミングするための動作を実行することを可能にする複数の命令を含んでもよい。
【０１００】
この明細書において言及した全ての刊行物、特許及び特許出願は、本発明が関係する技術分野における当業者のスキルのレベルを示しており、それぞれ個々の刊行物、特許又は特許出願が参照により援用されるように具体的且つ個々に示されるのと同じ程度に、参照により援用される。
【０１０１】
本発明についてその具体的な特徴及びその実施例を参照して説明したが、本発明を逸脱することなく、様々な変更及び組み合わせが行われ得ることは明らかである。したがって、明細書及び図面は、単に、添付の特許請求の範囲により定義される本発明の例示としてみなされるべきであり、本発明の範囲内に入るいずれか及び全ての変更、変形、組み合わせ又は均等物をカバーすると考えられる。
【図１】
2019516326.tif 000003
【図２Ａ】
2019516326.tif 000004
【図２Ｂ】
2019516326.tif 000005
【図２Ｃ】
2019516326.tif 000006
【図３Ａ】
2019516326.tif 000007
【図３Ｂ】
2019516326.tif 000008
【図３Ｃ】
2019516326.tif 000009
【図４】
2019516326.tif 000010
【図５Ａ】
2019516326.tif 000011
【図５Ｂ】
2019516326.tif 000012
【図５Ｃ】
2019516326.tif 000013
【図６】
2019516326.tif 000014
【図７Ａ】
2019516326.tif 000015
【図７Ｂ】
2019516326.tif 000016
【図８】
2019516326.tif 000017
【図９】
2019516326.tif 000018
【図１０】
2019516326.tif 000019
【図１１】
2019516326.tif 000020
【図１２】
2019516326.tif 000021
【図１３】
2019516326.tif 000022
【図１４】
2019516326.tif 000023
【図１５】
2019516326.tif 000024
【図１６】
2019516326.tif 000025
【図１７】
2019516326.tif 000026
【図１８】
2019516326.tif 000027
【図１９】
2019516326.tif 000028
【図２０】
2019516326.tif 000029
【図２１】
2019516326.tif 000030
【図２２】
2019516326.tif 000031
【図２３】
2019516326.tif 000032
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
ヘッダを有する物理レイヤプロトコルデータユニット（physical  layer  protocol  data  unit,  PPDU）を送信するための送信機であり、前記ヘッダは、スクランブル化器初期化フィールドを有する、送信機であって、
制御情報を搬送するために前記スクランブル化器初期化フィールドの少なくとも1ビットをオーバーロードするためのスクランブル化器初期化器と、
前記スクランブル化器初期化フィールドを介して伝達されるスクランブル化器初期化値に基づいて、前記スクランブル化器初期化フィールドに続く前記ヘッダ内の内容及び関連するMACフレーム又は前記MACフレームの一部をスクランブル化するためのスクランブル化器と
を含む送信機。
【請求項２】
前記制御情報は、前記送信機により使用されるべきプライマリチャネル、前記送信機により使用されるべきチャネル帯域幅、及び前記送信機により使用されるべきMIMOタイプのうち少なくとも１つを示す、請求項１に記載の送信機。
【請求項３】
前記スクランブル化器は、前記フレームの受信の際に受信機が前記スクランブル化器初期化フィールドの内容に基づいて前記フレームの前記一部をデスクランブル化できるような方式で、前記MACフレーム又は前記MACフレームの前記一部をスクランブル化するように構成される、請求項１又は２に記載の送信機。
【請求項４】
前記スクランブル化器初期化器は、前記制御情報を搬送するために、前記スクランブル化器初期化フィールドの全てより少ないビットをオーバーロードする、請求項１乃至３のうちいずれか１項に記載の送信機。
【請求項５】
前記スクランブル化器初期化器は、前記制御情報を搬送するために、前記スクランブル化器初期化フィールドの全てのビットをオーバーロードする、請求項１乃至３のうちいずれか１項に記載の送信機。
【請求項６】
前記制御情報は、EDMG機能をサポートするために使用される制御情報、静的な帯域幅割り当てが使用されるべきか動的な帯域幅割り当てが使用されるべきかの指示、前記送信機により使用されるべき１つ以上のチャネルのセット、通信において使用されるべき送信ダイバーシチ設定、及び送信されている空間ストリーム数のうち少なくとも１つを更に示す、請求項１乃至５のうちいずれか１項に記載の送信機。
【請求項７】
ヘッダを有する物理レイヤプロトコルデータユニット（physical  layer  protocol  data  unit,  PPDU）を受信するための受信機であり、前記ヘッダは、スクランブル化器初期化フィールドを有する、受信機であって、
前記スクランブル化器初期化フィールドの少なくとも1ビットを制御情報として解釈するように構成されたスクランブル化データ抽出器と、
前記スクランブル化器初期化フィールドの内容に基づいて、前記PPDU又は前記PPDUの一部をデスクランブル化するためのデスクランブル化器と
を含む受信機。
【請求項８】
前記制御情報は、送信機により使用されるべきプライマリチャネル、前記送信機により使用されるべきチャネル帯域幅、及び前記送信機により使用されるべきMIMOタイプのうち少なくとも１つを示す、請求項７に記載の受信機。
【請求項９】
前記スクランブル化器初期化フィールドの全てより少ないビットが、前記制御情報を搬送するものとして解釈される、請求項７又は８に記載の受信機。
【請求項１０】
前記スクランブル化器初期化フィールドの全てのビットが、前記制御情報を搬送するものとして解釈される、請求項７又は８に記載の受信機。
【請求項１１】
前記制御情報は、EDMG機能をサポートするために使用される制御情報、静的な帯域幅割り当てが使用されるべきか動的な帯域幅割り当てが使用されるべきかの指示、送信機により使用されるべき１つ以上のチャネルのセット、通信において使用されるべき送信ダイバーシチ設定、及び送信されている空間ストリーム数のうち少なくとも１つを更に示す、請求項７乃至１０のうちいずれか１項に記載の受信機。
【請求項１２】
ヘッダを有する物理レイヤプロトコルデータユニット（physical  layer  protocol  data  unit,  PPDU）を送信するための方法であり、前記ヘッダは、スクランブル化器初期化フィールドを有する、方法であって、スクランブル化器初期化器とスクランブル化器とを有する送信局により、
前記スクランブル化器初期化器を使用して、制御情報を搬送するために前記スクランブル化器初期化フィールドの少なくとも1ビットをオーバーロードするステップと、
前記スクランブル化器を使用して、前記スクランブル化器初期化フィールドを介して伝達されるスクランブル化器初期化値に基づいて、前記PPDU又は前記PPDUの一部をスクランブル化するステップと
を含む方法。
【請求項１３】
ヘッダを有するPPDUを受信するための方法であり、前記ヘッダは、スクランブル化器初期化フィールドを有する、方法であって、スクランブル化データ抽出器とデスクランブル化器とを有する受信機により、
前記スクランブル化データ抽出器を使用して、前記スクランブル化器初期化フィールドの少なくとも1ビットを制御情報として解釈するステップと、
前記デスクランブル化器を使用して、前記スクランブル化器初期化フィールドの内容に基づいて、前記PPDU又は前記PPDUの一部をデスクランブル化するステップと
を含む方法。
【請求項１４】
前記制御情報は、前記送信機により使用されるべきプライマリチャネル、前記送信機により使用されるべきチャネル帯域幅、及び前記送信機により使用されるべきMIMOタイプのうち少なくとも１つを示す、請求項１２又は１３に記載の方法。
【請求項１５】
前記PPDUの前記一部は、前記PPDUの受信の際に受信機が前記スクランブル化器初期化フィールドの内容に基づいて前記PPDUの前記一部をデスクランブル化できるような方式で、スクランブル化される、請求項１２乃至１４のうちいずれか１項に記載の方法。
【請求項１６】
前記スクランブル化器初期化フィールドの全てより少ないビットが、前記制御情報を搬送するためにオーバーロードされる、請求項１２乃至１５のうちいずれか１項に記載の方法。
【請求項１７】
前記スクランブル化器初期化フィールドの全てのビットが、前記制御情報を搬送するためにオーバーロードされる、請求項１２乃至１５のうちいずれか１項に記載の方法。
【請求項１８】
前記制御情報は、EDMG機能をサポートするために使用される制御情報、静的な帯域幅割り当てが使用されるべきか動的な帯域幅割り当てが使用されるべきかの指示、前記送信機により使用されるべき１つ以上のチャネルのセット、通信において使用されるべき送信ダイバーシチ設定、通信において使用されるべき送信ダイバーシチ設定、及び送信されている空間ストリーム数のうち少なくとも１つを更に示す、請求項１２乃至１７のうちいずれか１項に記載の方法。
【国際調査報告】
2019516326.tif 000033
2019516326.tif 000034